(57)【特許請求の範囲】
【請求項１】
互いに錠止される二つの物体の内の一方の物体に固着されるベース板と、他方の物体に設けた受金体と、前記ベース板の前面側のガイド枠板部に往復移動可能に嵌め込まれ、前記受金体に先端部が係脱する掛金体と、前記ベース板またはガイド枠板部と掛金体との間に装填され、掛金体をガイド枠板部から突出する方向に移動付勢するバネ部材と、掛金体の基端部に起伏回転可能に基端軸部を連結され、倒伏時に先端手掛け部がベース板またはガイド枠板部の制止端部に弾性係合する取手と、取手の基端軸部の側面に設けられており、取手をガイド枠板部の前面側に起立させたとき、ベース板の位置決め突起部に弾性係合する姿勢保持用突起部とからなる取手付きラッチ錠。
【発明の詳細な説明】
【０００１】
【発明の属する技術分野】
本発明は、互いに離合する二つの物体を相互に錠止するラッチ錠に関するものである。
【０００２】
【従来の技術】
従来のラッチ錠は二つの物体を接近または接触状態で相互に錠止する機能を有するだけであって、相互の錠止を解除した後に一方の物体を他方から引き離し操作するための取手は、ラッチ錠とは別物として構成されている。
【０００３】
そのため、物体表面にはラッチ錠と取手が並存して装着されるため、物体の施錠と開放手段全体としての設置コストが嵩むとともに、ラッチ錠と取手の個別装着によって物体表面のデザインが煩雑なものとなるだけでなく、取手が常に物体表面から突き出しているため、物体表面に嵩張り感の解消は容易でない。
【０００４】
この嵩張り感を減殺するには、物体表面からの突き出し量を小さくすれば良いのであるが、突き出し量を抑制的に設定したときには、取手が十分深く握れないことになり、物体の引き離し操作に当たって必要十分な力を掛けられないことになる。
【０００５】
【発明が解決しようとする課題】
したがって本発明の課題は、二つの物体が相互に錠止された施錠状態では、物体表面の嵩張り感なく取手が倒伏位置に保持されるとともに、解錠状態では取手が起立回転位置に安定に保持され、必要十分な力で一方の物体を他方の物体から引き離すことができる取手付きラッチ錠を提供することである。
【０００６】
【課題を解決するための手段】
以下、添付図面中の参照符号を用いて説明すると、本発明の取手付きラッチ錠は、互いに錠止される二つの物体Ａ，Ｂの内の一方の物体Ａに固着されるベース板１と、他方の物体Ｂに設けた受金体３と、ベース板１前面側のガイド枠板部２に往復移動可能に嵌め込まれ、受金体３に先端部４ａが係脱する掛金体４と、ベース板１またはガイド枠板部２と掛金体４との間に装填され、掛金体４をガイド枠板部２から突出する方向に移動付勢するバネ部材５と、掛金体４の基端部４ｂに起伏回転可能に基端軸部６ａを連結され、倒伏時に先端手掛け部６ｂがベース板１またはガイド枠板部２の制止端部７に弾性係合する取手６と、取手６の基端軸部６ａの側面に設けられ、取手６をガイド枠板部２の前面側に起立回転させたとき、ベース板側の位置決め突起部８に弾性係合する姿勢保持用突起部９とからなる。
【０００７】
【発明の作用】
本発明の取手付きラッチ錠では、所定の位置関係に置かれた二つの物体Ａ，Ｂは、図１と図３に示したように掛金体４の先端部４ａが受金体３に係合することによって、相互に錠止された施錠状態にある。
この施錠状態においては、取手６は基端軸部６ａを中心にベース板１に向かって倒伏回転させられており、取手６の先端手掛け部６ｂはバネ部材５の移動付勢によってガイド板部２の制止端部７に弾性係合している。これによって、取手６は倒伏位置に的確に姿勢保持される。
【０００８】
取手６の先端手掛け部６ｂに指先を掛けて掛金体４をバネ部材５の付勢に抗しベース板１に沿って後退移動させ、図４に示したように掛金体４の先端部４ａを受金体３から離脱させる。これによって二つの物体Ａ，Ｂの相互錠止が解除される。このように掛金体４が解錠位置まで引き込み移動させられたとき、取手６の基端軸部６ａはベース板１の位置決め突起部８の前面空間を通過した位置に来ている。
【０００９】
そこで、取手６の基端軸部６ａを中心に取手６を起立回転させると、取手６の姿勢保持用突起部９が位置決め突起部８に弾性係合する。これによって取手６は図５に示したようにガイド板部２の前面側に大きく突き出した位置に安定に保持され、先端手掛け部が操作者によって深くしっかりと握られる。
取手６をそのまま手前に引くことによって、一方の物体Ａは他方の物体Ｂから必要十分な力によって引き離し操作される。
【００１０】
【発明の実施の形態】
図示の実施例では、ベース板１とガイド板部２は別個に製作され、ベース板１の前面側にガイド枠板部２が溶接固定されている。取手６は丸棒部材によって略矩形状に折り曲げ加工されており、上下二つの基端軸部６ａに至る二つ角部６ｃがガイド枠板部２に入り込んでいる。
掛金体４は横断面Ｕ字状に形成されており、先端部４ａに形成されたカム斜面４ｃは、物体Ａが物体Ｂに接近したとき、受金体３と当たって掛金体４をラッチ動作させる。
【００１１】
取手６の他の二つの角部６ｄはガイド枠板部２から露出しており、先端手掛け部６ｂは倒伏時にベース１の前面に当接する。バネ部材５は圧縮コイルバネによって構成されており、バネ部材５の一端部５ａは掛金体４の基端部折り曲げ板部に形成した円形突起部４ｄに嵌められ、バネ部材５の他端部５ｂは、ガイド枠板部２の制止端部７の内側に形成した円形突起部７ａに嵌められている。
【００１２】
取手６の姿勢保持用突起部９は、基端軸部６ａの側面に直径方向にねじ込んだビスの頭部によって形成されている。ベース板１の位置決め突起部８はベース板１の前面側に打出し加工した帯状隆起部によって構成されている。取手６の基端軸部６ａは、掛金体４の上下側壁部の軸孔１０に回転可能に嵌められている。
ベース板１とガイド枠板部２には４個の固着用透孔１１が形成され、受金体３には２個の固着用透孔１２が形成されている。
【００１３】
【発明の効果】
本発明の取手付きラッチ錠では、掛金体の先端部が受金体に係合して二つの物体が相互に錠止された施錠状態においては、取手はベース板に向かって倒伏され、バネ部材の移動付勢によって取手の先端手掛け部がベース板またはガイド枠板部の制止端部に弾性係合することによって、倒伏位置に的確に姿勢保持されるため、取手の突き出しによる物体表面における嵩張り感がなく、コンパクトにスペースを節減して使用することができる。
【００１４】
また、掛金体の先端部が受金体から離脱するようにバネ部材の付勢に抗して掛金体を取手を介して引き込み移動させ、取手の基端軸部がベース板の位置決め突起部を通過したところで、取手を起立回転させると、取手の姿勢保持用突起部が前記位置決め突起部に弾性係合することによって、取手が起立回転位置に安定に保持されるため、取手の先端手掛け部を深くしっかりと握ることができる。そのため、取手をそのまま手前に引くことによって、一方の物体を他方の物体から必要十分な力によって引き離すことができる。
【００１５】
取手は掛金体の引っ張り操作手段を兼ねており、取手が機能的な連関のもとに統合されているため、ラッチ錠と取手を別個に製作して装着する場合と比較して、物体の施錠及び開放手段全体としての設置コストが節減される。
【図面の簡単な説明】
【図１】本発明の一実施例に係る取手付きラッチ錠の施錠状態の正面図である。
【図２】図１の取手付きラッチ錠の平面図である。
【図３】図１のＡ−Ａ線断面図である。
【図４】図３の状態から取手をベース板に沿って引いた解錠状態の断面図である。
【図５】図３の状態から取手を起立回転させて少し引いたときの断面図である。
【符号の説明】
１  ベース板
２  ガイド枠板部
３  受金体
４  掛金体
５  バネ部材
６  取手
６ａ  取手の基端軸部
６ｂ  取手の先端手掛け部
７  制止端部
８  ベース板の位置決め突起部
９  取手の姿勢保持用突起部
１０  軸孔
Ａ  物体
Ｂ  物体
【図１】
0003576531.tif 000002
【図２】
0003576531.tif 000003
【図３】
0003576531.tif 000004
【図４】
0003576531.tif 000005
【図５】
0003576531.tif 000006